(57)【特許請求の範囲】
【請求項１】
遊技球を貯留する球タンク部と、
該球タンク部からの遊技球を左右方向に案内するタンクレール部とを遊技機本体の裏側に備えた弾球遊技機において、
前記タンクレール部の上流側の上側に配置され且つ上方から補給された遊技球を受けて前記球タンク部内へと案内可能な球受け部材を前記球タンク部に着脱自在に備え、
前記球受け部材は前記タンクレール部の遊技球の案内方向とは逆方向に傾斜し、
前記球タンク部は導電性樹脂製とし、
前記球受け部材は絶縁性樹脂製とした
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
パチンコ機、アレンジボール機等の弾球遊技機では、遊技機本体の裏側上部に球タンクとタンクレールとを左右に配置し、タンクレールの下流側の下方に払い出し手段を配置して、球タンク内に貯留された遊技球をタンクレールを経て払い出し手段へと供給し、賞球、貸し球等の払い出し指令があったときに、この払い出し手段により払い出し通路を経て遊技機本体の前側の球受け皿へと遊技球を払い出すようにしている（特許文献１）。
【先行技術文献】
【特許文献】
【０００３】
【特許文献１】特開２００３−１８０９６９号公報
【発明の概要】
【発明が解決しようとする課題】
【０００４】
遊技ホールにおいてパチンコ機を設置した後は、遊技島側の補給ダクト等の補給手段を経て球タンク内に遊技球を補給する。このとき補給手段から補給された遊技球が球タンクとタンクレールとの接続部分に集中すれば、その部分から遊技球が零れる等の問題がある。
【０００５】
本発明は、このような従来の問題点に鑑み、球タンク部に遊技球を補給する際にその零れを防止できる弾球遊技機を提供することを目的とする。
【課題を解決するための手段】
【０００６】
本発明は、遊技球を貯留する球タンク部と、該球タンク部からの遊技球を左右方向に案内するタンクレール部とを遊技機本体の裏側に備えた弾球遊技機において、前記タンクレール部の上流側の上側に配置され且つ上方から補給された遊技球を受けて前記球タンク部内へと案内可能な球受け部材を前記球タンク部に着脱自在に備え、前記球受け部材は前記タンクレール部の遊技球の案内方向とは逆方向に傾斜し、前記球タンク部は導電性樹脂製とし、前記球受け部材は絶縁性樹脂製としたものである。
【発明の効果】
【０００７】
本発明によれば、球タンク部に遊技球を補給する際にその零れを防止できる。
【図面の簡単な説明】
【０００８】
【図１】本発明の第１の実施形態を示すパチンコ機の全体正面図である。
【図２】同ガラス扉及び下部開閉扉を外した状態の正面図である。
【図３】同全体裏面図である。
【図４】同球タンクユニットの平面図である。
【図５】同球タンクユニットの背面図である。
【図６】同球タンクユニットの斜視図である。
【図７】同球崩し部周辺の背面断面図である。
【図８】同球受け部周辺の背面断面図である。
【図９】同着脱壁部分の側面断面図である。
【図１０】同球タンク部分の分解斜視図である。
【図１１】同球タンク部分の分解斜視図である。
【図１２】同タンクレール部分の分解斜視図である。
【図１３】同タンクレール部分の分解斜視図である。
【図１４】本発明の第２の実施形態を示す球タンクユニットの斜視図である。
【図１５】同球受け部周辺の背面断面図である。
【図１６】本発明の第３の実施形態を示す球タンクユニットの斜視図である。
【図１７】本発明の第４の実施形態を示す球タンクユニットの平面図である。
【図１８】同球タンクの側面断面図である。
【発明を実施するための形態】
【０００９】
以下、本発明の実施形態を図面に基づいて詳述する。図１〜図１３は本発明をパチンコ機に採用した第１の実施形態を例示している。図１〜図３において、遊技機本体１は、矩形状の外枠２と、この外枠２の左右一側、例えば左側のヒンジ３を介して縦軸心廻りに開閉自在及び着脱自在に枢着された前枠４とを備えている。
【００１０】
前枠４には、その上部側に設けられた上部装着部５に遊技盤６が、その上部装着部５の下側に設けられた下部装着部７に発射手段８等が夫々配置されており、その前枠４の前側には、上部装着部５に対応するガラス扉９と、下部装着部７に対応する下部開閉扉１０とがヒンジ３と同じ側のヒンジ１１により開閉自在及び着脱自在に枢着されている。
【００１１】
ガラス扉９には、遊技盤６側の遊技領域６ａに対応するガラス窓１２が設けられ、また下部開閉扉１０には、払い出された遊技球を貯留すると共にその遊技球を発射手段８側に案内する上皿１３と、この上皿１３が満杯となったときにその余剰球を受けて貯留する下皿１４と、発射手段８を作動させるための発射ハンドル１５等が設けられている。
【００１２】
上部装着部５には、遊技盤６を装着するための遊技盤装着枠１６が設けられており、遊技盤６はこの遊技盤装着枠１６に対して例えば前側から装着され、１又は複数の固定手段１６ａにより着脱自在に固定されている。遊技盤６の前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、その略中央に液晶表示手段２３ａを備えたセンターケース２３が配置され、更にそのセンターケース２３の左側に通過ゲート２４が、下側に開閉式入賞手段２５及び大入賞手段２６が配置される他、普通入賞手段２７、風車２８等の各種遊技部品が装着されている。
【００１３】
遊技盤６の裏面側には、図３に示すように、センターケース２３等の遊技部品を裏側から覆う裏ケース３０ａと、その裏ケース３０ａの下側に配置される集球ケース３０ｂとが装着されている。集球ケース３０ｂの裏面側には主制御基板３１ａが格納された主基板ケース３１が装着され、裏ケース３０ａの裏面側には演出制御基板３２ａが格納された演出基板ケース３２と、液晶制御基板３３ａが格納された液晶基板ケース３３とが着脱自在に装着されている。
【００１４】
下部装着部７には、図２に示すようにその前側の例えば左右方向略中央に発射手段８が配置され、下部開閉扉１０側の上皿１３から発射手段８に発射用の遊技球が供給されるようになっている。発射手段８は、板金製の支持板３４と、この支持板３４の前面に装着された発射レール３５と、支持板３４の前面で前後方向の駆動軸廻りに揺動自在に支持された打撃槌３６と、支持板３４の裏側に装着され且つ打撃槌３６を打撃方向に駆動するロータリソレノイド等の発射駆動手段３７等を備え、発射ハンドル１５が操作されたときに発射駆動手段３７により打撃槌３６を打撃方向（時計廻り）に間欠的に駆動することにより、上皿１３から発射レール３５上に供給された遊技球を発射レール３５に沿って打撃して遊技盤６側に発射させるようになっている。
【００１５】
発射手段８の左側には、払い出し手段４３から払い出された遊技球を下部開閉扉１０側の上皿１３に排出し、且つ上皿１３が満杯となったときにその余剰球を下皿１４側に案内する分岐通路ユニット３８等が、右側には下部スピーカ３９が夫々配置されている。
【００１６】
前枠４の裏側には、図３に示すように、裏ケース３０ａ、演出基板ケース３２、液晶基板ケース３３等を裏側から覆う裏カバー４０が開閉自在に装着されると共に、その裏カバー４０の上側の裏板部４ａの裏側に球タンクユニット４１が装着され、また前枠４のヒンジ３側に供給通路ユニット４２、払い出し手段４３、排出通路ユニット４４等が装着されている。そして、遊技球の大入賞手段２６等への入賞による賞球指令があったとき、又は図外の自動球貸し機から球貸し指令があったときには、球タンクユニット４１から供給通路ユニット４２の前後の供給通路４５を経て供給された遊技球を払い出し手段４３により払い出し、その遊技球を排出通路ユニット４４の排出通路４６、分岐通路ユニット３８を経て上皿１３に案内するようになっている。
【００１７】
下部装着部７の裏面側には、図３に示すように基板装着台４７が着脱自在に装着されており、この基板装着台４７の裏面側に、電源基板４８ａが格納された電源基板ケース４８と、払い出し制御基板４９ａが格納された払い出し基板ケース４９とが着脱自在に装着されている。
【００１８】
球タンクユニット４１は、図４〜図１３に示すように、遊技島側の補給ダクト等の補給手段５０から補給された遊技球を貯留する球タンク５１と、この球タンク５１からの遊技球を供給通路４５へと案内するタンクレール５２とを左右方向に一体に備え、その球タンク５１とタンクレール５２との間には、補給手段５０からの遊技球を受けて球タンク５１内へと案内する球受け部５４と、球タンク５１の下流側及び／又はタンクレール５２の上流側を覆うカバー部５５とが設けられ、またタンクレール５２上には第１球崩し手段９０と第２球崩し手段９１とが着脱自在に設けられている。
【００１９】
球タンク５１は、図４〜図６、図１０、図１１に示すように、前壁５６、後壁５７及び左右の側壁５８，５９とにより構成される周壁５６〜５９と、その下側の底壁６０とを有し、補給手段５０により容易に遊技球を補給できるように上側が開放する深皿状に形成されている。この球タンク５１は周壁５６〜５９の裏側に開放部６２が形成されたタンク本体６３と、このタンク本体６３の開放部６２側に着脱自在に装着され且つ開放部６２を塞ぐ着脱壁６４とを備えている。
【００２０】
タンク本体６３は、図１０、図１１に示すように、前枠４の裏面に沿って配置された前壁５６と、この前壁５６の左右両端から後方に屈曲する側壁５８，５９と、前壁５６及び側壁５８，５９の下部側に形成された底壁６０とを一体に備え、後壁５７側に開放部６２が設けられている。球タンク５１のタンクレール５２と反対側の側壁５８は前枠４と略直角に前後方向に配置され、タンクレール５２側の側壁５９は後方に移るに従ってタンクレール５２の下流側に伸びる方向に平面視傾斜状に配置されている。
【００２１】
開放部６２は、図４〜図６、図１０、図１１に示すように、球タンク５１の後壁５７の左右方向の略全長に跨がると共に、タンクレール５２と反対側の側壁５８の後部側に跨がって設けられており、周壁５６〜５９の後壁５７及び側壁５８の下側に下後壁部６６及び下側壁部６７を除く上側に平面視略Ｌ字状に形成されている。下後壁部６６及び下側壁部６７はタンク本体６３に一体に設けられている。
【００２２】
着脱壁６４は、図４〜図６、図９〜図１１に示すように、開放部６２に対応して後壁部６８と側壁部６９とを有する平面視略Ｌ字状であって、Ｌ字方向の両端面がタンク本体６３の後壁側対向面７０と側壁側対向面７１とに当接又は近接すると共に、段部７２と係合部７３とが下端側に設けられている。段部７２はタンク本体６３の下後壁部６６及び下側壁部６７の上側に当接し、また係合部７３は開放部６２の下側で下後壁部６６に設けられた被係合部７４に上側から係脱自在に係合している。なお、着脱壁６４の後壁部６８はタンク本体６３の下後壁部６６と共に球タンク５１の後壁５７を構成し、着脱壁６４の側壁部６９はタンク本体６３の側壁部７５、下側壁部６７と共に球タンク５１の側壁５８を構成している。
【００２３】
タンク本体６３の被係合部７４は、下後壁部６６の裏面に左右方向に所定間隔を置いて配置された複数個の凹状、孔状の嵌合凹部７４ａを有し、その嵌合凹部７４ａの下部間に突条７４ｂが設けられている。着脱壁６４の下端部には段部７２を介して下後壁部６６、下側壁部６７の外側に屈曲する屈曲部７３ａを有し、その屈曲部７３ａの一部が各嵌合凹部７４ａに挿脱自在に嵌合する嵌合凸部７３ｂとなっている。嵌合凸部７３ｂ間の屈曲部７３ａは突条７４ｂに当接又は近接する。
【００２４】
側壁５８の下側壁部６７の外側には、図１０、図１１に示すように、取り付けボス等の固定部７７と、側壁側対向面７１の下部と固定部７７とを連結する連結部７６が設けられ、これらが着脱壁６４の側壁部６９の下部を外側から覆うようになっている。着脱壁６４の側壁部６９には、図４、図５、図１１に示すように、固定部７７に対応して取り付け部７８が設けられ、後述の帯電防止板７９、アース線（図示省略）と共にネジ等の固定具８０により固定部７７に着脱自在に固定されている。
【００２５】
着脱壁６４の前面の上部には、図４、図６、図８、図９〜図１１に示すように、前側に突出して球受け部５４及びカバー部５５と、球受け部５４及びカバー部５５を区画する隔壁８１とが一体に設けられている。球受け部５４は球タンク５１の下流部分の上側に、カバー部５５は球タンク５１の下流部分からタンクレール５２の上流部分の上側に配置されている。隔壁８１の後端は着脱壁６４の後壁部６８に接続され、また前側はタンク本体６３のタンクレール５２側の側壁５９に沿って設けられた側壁５４ａを有し、その側壁５４ａの前端に側壁５９に上側から係脱自在に係合する係合片５４ｂが設けられている。
【００２６】
カバー部５５の上側に周壁５５ａと、その前後両側に設けられた取り付け部５５ｂ，５５ｃとを有し、その各取り付け部５５ｂ，５５ｃがネジ等の固定具８２ａ，８２ｂによりタンク本体６３、タンクレール５２の前後の固定部８３ａ，８３ｂに着脱自在に固定されている。
【００２７】
タンク本体６３には、図４〜図９に示すように、その後部側に連通するタンクレール５２が一体に形成され、球タンク５１内の遊技球がタンクレール５２へと自然に流下するようになっている。タンクレール５２は出口８５へと傾斜しており、傾斜状の底壁８６ａ，８６ｂと、この底壁８６ａ，８６ｂの前後両側から上側に突出する前壁８７ａ及び後壁８７ｂと、底壁８６ａ，８６ｂ間の略中央から上側に突出する隔壁８８とを有し、前後二列の傾斜通路８９ａ，８９ｂが設けられている。
【００２８】
第１球崩し手段９０は、タンクレール５２内の傾斜通路８９ａ，８９ｂの遊技球が上下方向に３個重ねにならないように遊技球の重なりを崩すためのものであって、タンクレール５２の長手方向の中間に配置されている。この第１球崩し手段９０は、図４〜図７、図１２、図１３に示すように、タンクレール５２の上側に前後方向に配置された横架部９２と、この横架部９２の下側に各傾斜通路８９ａ，８９ｂに対応して一体に設けられた球崩し部９３ａ，９３ｂとを有する。
【００２９】
横架部９２は前後両側の係合突起９４ａと係合爪９４ｂとを介してタンクレール５２の前壁８７ａ、後壁８７ｂ上に着脱自在に固定されている。係合突起９４ａは一方の球崩し部９３ａの側面に一体であり、前壁８７ａの係合孔９５ａに係合している。係合爪９４ｂは後壁８７ｂの係合部９５ｂに裏側から係脱自在に係合しており、係合突起９４ａ側を支点として横架部９２を上側から押圧することにより後壁８７ｂの係合部９５ｂに係合する。
【００３０】
球崩し部９３ａ，９３ｂは各傾斜通路８９ａ，８９ｂに対応して配置され、その下面は下流側が下方に傾斜しており、各傾斜通路８９ａ，８９ｂ内を遊技球が下流側へと移動するときに、その傾斜面で遊技球を押圧して重なりを崩すようになっている。なお、横架部９２は前壁８７ａ、後壁８７ｂ上の受け面９６ａ，９６ｂ上に当接又は近接しており、前壁８７ａ、後壁８７ｂの受け面９６ａ，９６ｂから上に突出する突出部９７ａ，９７ｂが切り欠き部９８ａ，９８ｂに係合している。
【００３１】
第２球崩し手段９１はタンクレール５２内の各傾斜通路８９ａ，８９ｂの遊技球の重なりを崩して一列状にするためのものであって、タンクレール５２の出口８５の上流側近傍に配置されている。この第２球崩し手段９１は、図４〜図７、図１２、図１３に示すように、下面側が球崩し部１００ａとなる球崩し板１００を有し、前後両側の係合突起１０１ａと係合爪１０１ｂとを介してタンクレール５２の前壁８７ａ、後壁８７ｂ上に着脱自在に固定されている。
【００３２】
球崩し部１００ａは出口８５側が傾斜通路８９ａ，８９ｂの底壁８６ａ，８６ｂに接近して低くなっている。係合突起１０１ａは左右に２個（複数個）あり、前壁８７ａの２個（複数個）の係合孔１０２ａに係合している。係合爪１０１ｂは後壁８７ｂの係合部１０２ｂに裏側から係脱自在に係合しており、係合突起１０１ａ側を支点として横架部９２を上側から押圧することにより後壁８７ｂの係合部１０２ｂに係合する。なお、後壁８７ｂ上には、球崩し板１００の切り欠き部１０３ｂに係合する突出部１０４ｂが設けられている。
【００３３】
球崩し板１００上には、図４〜図７、図１２、図１３に示すように、タンクレール５２内の遊技球の流れを規制するための規制具１０５が、傾斜通路８９ａ，８９ｂ内に突出して遊技球の流れを規制する規制位置（図７の二点鎖線位置）と、球崩し板１００上に倒れた解除位置（図７の実線位置）との間で回動自在に設けられている。
【００３４】
この規制具１０５は球崩し板１００上で前後方向に枢軸１０６廻りに回動自在に枢支された腕部１０７と、この腕部１０７の先端に設けられ且つ球崩し板１００の開口１０８から傾斜通路８９ａ，８９ｂ内に出退自在な規制部１０９とを有し、規制部１０９が傾斜通路８９ａ，８９ｂ内の規制位置に突出したときに、この規制部１０９で遊技球の流れを規制するようになっている。なお、傾斜通路８９ａ，８９ｂ間の隔壁８８には規制部１０９に対応して切り欠き部８８ａが形成され、規制位置のときに切り欠き部８８ａの両側の傾斜通路８９ａ，８９ｂに突出して遊技球を規制する。
【００３５】
枢軸１０６は前壁８７ａの軸受孔１１０ａと球崩し板１００上の軸受部１１０ｂとに挿通されている。腕部１０７は後側に突出する操作部１１１を有する。球崩し板１００には腕部１０７に係脱自在に係合して規制具１０５を規制位置と解除位置とに保持する係合部１１２ａ，１１２ｂとが設けられている。
【００３６】
タンク本体６３及びタンクレール５２は導電性樹脂製であり、着脱壁６４は絶縁性樹脂製である。球タンク５１の側壁５８及び着脱壁６４の内面から底壁６０の上面には、鉄板等の導電板により構成された帯電防止板７９が着脱自在に装着されている。帯電防止板７９は、図４、図６、図１０、図１１に示すように、底壁６０に沿う底壁部７９ａと、側壁５８及び着脱壁６４に沿う起立壁部７９ｂ，７９ｃを有し、底壁部７９ａの前端の突部７９ｄがタンク本体６３の前壁５６の下端に形成された挿入孔５６ａに挿入され、起立壁部７９ｂ，７９ｃの上端の折り曲げ部７９ｅ，７９ｆが側壁５８、着脱壁６４の上端に係合されている。固定部７７に対応する折り曲げ部７９ｅは着脱壁６４の外側面に沿って下方に延びており、ネジ等の固定具８０によりアース線に接続されている。なお、帯電防止板７９は少なくとも着脱壁６４に対応する部分にあれば十分である。
【００３７】
パチンコ機の稼働中は、補給手段５０から球タンク５１に遊技球が補給され、その遊技球が払い出し手段４３の上手側のタンクレール５２の傾斜通路８９ａ，８９ｂから供給通路ユニット４２の供給通路４５の全体に充満した状態にある。そして、遊技球の払い出し指令があれば払い出し手段４３が作動して、供給通路４５を経て供給される遊技球を排出通路ユニット４４を経て上皿１３へと払い出す。
【００３８】
補給手段５０が球受け部５４の上側にある場合の遊技球の補給時には、補給手段５０から球受け部５４上へと遊技球を落下させて、この球受け部５４を経て球タンク５１内へと遊技球を補給する。そして、球タンク５１内に入った遊技球は、球受け部５４、カバー部５５の下側を通過してタンクレール５２の傾斜通路８９ａ，８９ｂへと移動する。このため補給手段５０から補給された遊技球が、球タンク５１とタンクレール５２との接続部分に集中して零れる等の問題を防止することができる。
【００３９】
また遊技球はタンクレール５２の傾斜通路８９ａ，８９ｂを経て供給通路ユニット４２の供給通路４５へと移動するが、その傾斜通路８９ａ，８９ｂ内を移動する間に各球崩し手段９０，９１により順次崩されて一列状に整列する。例えば遊技球が３層に重なる場合には、先ず第１球崩し手段９０の球崩し部９３ａ，９３ｂの下側を通過するときに２層に崩される。そして、第２球崩し手段９１の球崩し部１００ａの下側を通過するときに更に崩される。従って、各傾斜通路８９ａ，８９ｂ内の遊技球は出口８５では一列状に整列しており、その状態で出口８５から供給通路ユニット４２の供給通路４５へと遊技球が流下する。
【００４０】
球タンク５１の遊技球を排出せずに払い出し手段４３の点検等を行う場合には、規制具１０５を枢軸１０６廻りに解除位置から規制位置へと回動させて、開口１０８から傾斜通路８９ａ，８９ｂ内へと突出させることにより、遊技球の移動を規制する。規制具１０５は通常係合部１１２ｂにより解除位置で固定され、また規制時には係合部１１２ａにより規制位置で固定されるので、不安定に動くようなことはなく各位置に確実に保持することができる。規制具１０５を解除位置から規制位置へと、又は規制位置から解除位置へと回動させるときには、操作部１１１を操作して枢軸１０６廻りに回動させる。このため規制具１０５を容易に操作できる。
【００４１】
遊技ホールの島設備にパチンコ機を設置するに際して外枠２から取り外した前枠４を保管する場合、前枠４が転倒すれば、その裏側上部にある球タンク５１の後壁５７側が破損し易いが、そのような場合でもタンクレール５２を含む球タンク５１の全体を交換する必要がなく、資材の無駄を極力防止することができ、またその球タンク５１の補修も容易に行うことができる。
【００４２】
即ち、この実施形態の球タンク５１は、タンク本体６３の裏上部側に開放部６２を形成し、その開放部６２を塞ぐ着脱壁６４をタンク本体６３の開放部６２側に着脱自在に装着しているため、後壁５７を構成する着脱壁６４が破損した場合には、その着脱壁６４を新しいものと交換すればよく、資材の無駄を極力防止でき、破損箇所の補修も容易に行うことができる。
【００４３】
着脱壁６４をタンク本体６３に取り付ける場合には、着脱壁６４の下端の嵌合凸部７３ｂをタンク本体６３の下後壁部６６の裏側の嵌合凹部７４ａに嵌合し、着脱壁６４の段部７２を下後壁部６６に上側から当接させて、取り付け部７８，５５ｂ，５５ｃを固定具８０，８２ａ，８２ｂにより固定部７７，８３ａ，８３ｂに固定する。従って、着脱壁６４をタンク本体６３に容易且つ確実に取り付けることができる。
【００４４】
タンク本体６３が導電性樹脂製であるのに対して着脱壁６４は絶縁性樹脂製であり、材料的にもタンク本体６３に比して着脱壁６４の強度を確保し易くできるため、転倒等による着脱壁６４の破損を少なくすることができる。また着脱壁６４は絶縁性樹脂製であるが、その内側に帯電防止板７９があるので、遊技球の電荷を除電することができる。
【００４５】
図１４及び図１５は本発明の第２の実施形態を例示する。この実施形態では、着脱壁６４にカバー部５５を介して球崩し部１１５が一体に設けられている。この球崩し部１１５は各傾斜通路８９ａ，８９ｂに跨がってカバー部５５から下側に突出して傾斜状に設けられており、その下側の傾斜面で傾斜通路８９ａ，８９ｂ内の遊技球の重なりを崩すようになっている。他の構成は第１の実施形態と同様である。
【００４６】
このようにカバー部５５の下側に球崩し部１１５を設ける等、着脱壁６４と一体に球崩し部１１５を設けて、この球崩し部１１５により遊技球の過剰な重なりを事前に崩すようにしてもよい。なお、この実施形態では、第１球崩し手段９０、第２球崩し手段９１とは別に球崩し部１１５を設けているが、カバー部５５に一体に第１球崩し手段９０を設けてもよい。
【００４７】
図１６は本発明の第３の実施形態を例示する。この実施形態では、開放部６２を塞ぐ着脱壁６４が、球タンク５１の後壁５７からタンクレール５２の後壁８７ｂの上流部側に跨がって設けられている。他の構成は第１の実施形態と同様である。
【００４８】
タンクレール５２の上流部の後壁８７ｂは、球タンク５１の後壁５７よりも低いものの、下流側部分に比較して十分な高さがあるため、前枠４が裏側に転倒したときにその上部が障害物と接触する等により破損する惧れがある。従って、このように着脱壁６４を球タンク５１からタンクレール５２の後壁５７，８７ｂに跨がって設けておけば、タンクレール５２の後壁８７ｂの破損に対しても容易に対応することができる。
【００４９】
図１７及び図１８は本発明の第４の実施形態を例示する。この実施形態では、球タンク５１の前部側にタンクレール５２が一体に配置され、球タンク５１の前壁５６とタンクレール５２の前壁８７ａとが前枠４の裏板部４ａの裏面に沿って左右方向に略直線状になっている。タンク本体６３は後壁５７から左右両側の側壁５８，５９の後部側、底壁６０の後部側に跨がって開放部６２が設けられ、その開放部６２を着脱壁６４で塞ぐようになっている。着脱壁６４は後壁５７の全体と、左右両側から前側に屈曲する側壁部６４ａ，６４ｂと、下端側から前側に屈曲する底壁部６４ｃとを有する。他の構成は第１の実施形態と略同様である。
【００５０】
このように前枠４の裏板部４ａが平坦な場合には、タンクレール５２が球タンク５１の前側に配置されるが、そのその場合にも後壁５７から左右の側壁５８，５９の後部に跨がる開放部６２を設けて、この開放部６２を着脱壁６４で塞ぐようにすることによって、第１の実施形態と同様の効果を得ることができる。また着脱壁６４に一体に側壁部６４ａ，６４ｂ、底壁部６４ｃを設けることによって、球タンク５１の後部側の広い領域の破損に対応することができる。なお、着脱壁６４には二点鎖線で示すように球受け部５４を設けてもよい。
【００５１】
以上、本発明の各実施形態について詳述したが、本発明はこれらの実施形態に限定されるものではなく、本発明の趣旨を逸脱しない範囲で種々の変更が可能である。例えば実施形態では、球タンク５１のタンク本体６３とタンクレール５２とが一体のものを例示したが、タンク本体６３にタンクレール５２を着脱自在に結合したものでもよい。
【００５２】
着脱壁６４はタンク本体６３の開放部６２側に着脱自在に装着できればよく、その結合構造は実施形態に限定されるものではないが、結合部には嵌脱式、その他の係合手段等を設け、球受け部５４、カバー部５５等を介して係合手段から離れた位置の取り付け部を固定具によりタンク本体６３の固定部に固定することが望ましい。球受け部５４、カバー部５５は省略してもよい。
【００５３】
開放部６２、着脱壁６４は球タンク５１の後壁５７の左右方向の略全長に跨がる大きさであることが望ましいが、後壁５７の内、その下側に突出部材がある等の理由により前枠４の転倒時にも破損しにくい部分があれば、その部分を除く範囲に開放部６２、着脱壁６４を設けてもよい。
【００５４】
また開放部６２、着脱壁６４は球タンク５１の後壁５７の上半分に設ける等、少なくとも後壁５７の上部側に設ければよい。球受け部５４は着脱壁６４からタンク本体６３上へと突出するが、タンク本体６３とタンクレール５２の上流部とに跨がって設けてもよい。またカバー部５５は球タンク５１のタンクレール５２側及び／又はタンクレール５２の上流側での遊技球の零れを防止するためのものであるが、球受け部５４がタンク本体６３上にある場合には、カバー部５５をタンクレール５２の上流部の上側に配置してもよい。タンクレール５２の傾斜通路は１つでもよいし、３つ以上でもよい。
【００５５】
実施形態では前枠４の裏側にタンク本体６３、タンクレール５２を直接装着しているが、他の部材を介して間接的に装着してもよい。例えば、前枠４の裏上部に遊技盤装着枠１６を設け、この遊技盤装着枠１６に裏側から遊技盤６を嵌め込んだ後、開閉自在な裏機構板を閉じて遊技盤６を固定するようなパチンコ機の場合には、その裏機構板の裏側上部にタンク本体６３、タンクレール５２を装着してもよい。
【００５６】
タンク本体６３、タンクレール５２は導電性樹脂製とし、着脱壁６４は絶縁性樹脂製とすることが望ましいが、タンク本体６３、タンクレール５２、着脱壁６４は導電性樹脂製、絶縁性樹脂製の何れでもよい。また実施形態ではパチンコ機について例示しているが、アレンジボール機、雀球機等の各種の弾球遊技機においても同様に実施可能である。
【符号の説明】
【００５７】
１  遊技機本体
４  前枠
４１  球タンクユニット
４３  払い出し手段
５０  補給手段
５１  球タンク
５２  タンクレール
５４  球受け部
５５  カバー部
５７  後壁
５８，５９  側壁
６２  開放部
６３  タンク本体
６４  着脱壁
６６  下後壁部
７２  段部
７３  係合部
７３ｂ  嵌合凸部
７４  被係合部
７４ａ  嵌合凹部
７９  帯電防止板
９０  第１球崩し手段
９１  第２球崩し手段
【図１】
0005878251.tif 000002
【図２】
0005878251.tif 000003
【図３】
0005878251.tif 000004
【図４】
0005878251.tif 000005
【図５】
0005878251.tif 000006
【図６】
0005878251.tif 000007
【図７】
0005878251.tif 000008
【図８】
0005878251.tif 000009
【図９】
0005878251.tif 000010
【図１０】
0005878251.tif 000011
【図１１】
0005878251.tif 000012
【図１２】
0005878251.tif 000013
【図１３】
0005878251.tif 000014
【図１４】
0005878251.tif 000015
【図１５】
0005878251.tif 000016
【図１６】
0005878251.tif 000017
【図１７】
0005878251.tif 000018
【図１８】
0005878251.tif 000019